(57)【要約】      （修正有）【課題】可動体の動きに伴う発光態様の変化により、遊技者の興味をさらに高めることのできる電動チューリップ等の遊技機用入賞装置とそれを用いた遊技機を提供する。【解決手段】可動アーム７１は、前側装飾部１１の一部を構成している。前側装飾部１１の楕円状の本体部１１ａと、本体部１１ａの両端から下方に突出する壁部１１ｂ，１１ｂとで形成された空間に可動アーム７１の方向変換部７１ａ（特に遊技者側端部７１ｄ）が位置する。可動アーム７１の両外側に突出して遊技盤１０１と平行な一対の可動アーム支持軸７１ｃ，７１ｃを設けている。可動アーム支持軸７１ｃ，７１ｃが前側装飾部１１に形成された可動アーム支持軸挿入穴１１ｃ，１１ｃに挿入されている。可動アーム７１は、可動アーム支持軸７１ｃ，７１ｃのアーム軸線Ｏ２周りに回動可能に支持されている。【選択図】図２
2010075725.tif 000002
【特許請求の範囲】
【請求項１】
遊技盤と交差する一対の平行な回動軸線周りに回動可能に取り付けられ、遊技球の入賞が相対的に困難な第一開口位置と入賞が相対的に容易な第二開口位置との間で回動することによって入賞口の開口態様を変更する一対の回動翼片と、
直線的に変位する駆動部を有する駆動アクチュエータと、
前記駆動部の直線的な移動を前記回動翼片の回転移動に変換する伝動アームを有し、前記駆動アクチュエータの駆動力を前記回動翼片に伝達する伝動部材と、
前記回動翼片の下方に配置され、前記伝動アームの作動に基づいて前記回動翼片が前記第一開口位置にあるときその回動翼片に相対的に接近して停止する第一停止位置と、前記第二開口位置にあるとき相対的に離間して停止する第二停止位置との間で移動する可動体と、
前記遊技盤の盤面よりも後方側に設けられた発光部と、を備え、
前記可動体は、平面視で、前記伝動アームの軸線と平行で前記回動翼片の回動軸線と交差するアーム軸線の周りに回動可能であり、かつ前記アーム軸線に対し遊技者側とは反対側となる後方側の端部が前記伝動アームと接触する可動アームとして構成され、前記アーム軸線周りでの回動動作に基づく前方側の昇降作動が、前記回動翼片の回動軸線周りでの開口態様変更動作と連動し、
前記伝動アームの作動に基づいて前記回動翼片が前記第一開口位置にあり、かつ前記可動アームが前記第一停止位置にある第一状態のとき、その可動アームは前方側が上昇し、遊技者に対して前記発光部を遮蔽する状態となる一方、
前記回動翼片が前記第二開口位置にあり、かつ前記可動アームが前記第二停止位置にある第二状態のとき、その可動アームは前方側が下降し、遊技者に対して前記発光部を露出させる状態となることを特徴とする遊技機用入賞装置。
【請求項２】
前記伝動アームは前記一対の回動翼片を前記第一開口位置と第二開口位置との間でそれぞれ回動させるために一対設けられ、
前記可動アームは、前記遊技盤上に配置され前記回動翼片を保持する前側装飾部の一部を構成するように、平面視で前記入賞口を囲む形状に形成され、その後方側の両側先端部が前記入賞口を挟む両側で前記一対の伝動アームとそれぞれ係合している請求項１に記載の遊技機用入賞装置。
【請求項３】
前記前側装飾部の中央部には光導出孔が配置され、
前記回動翼片及び可動アームが前記第一状態及び第二状態のいずれであっても、前記発光部からの光は前記光導出孔から漏れて遊技者には常時光って見える請求項２に記載の遊技機用入賞装置。
【請求項４】
請求項１ないし３のいずれか一項に記載の遊技機用入賞装置を備えたことを特徴とする遊技機。
【発明の詳細な説明】
【技術分野】
【０００１】
本発明は、遊技機用入賞装置及び遊技機に関する。
【背景技術】
【０００２】
従来より、例えば電動チューリップと称される遊技機用入賞装置は、一体的に形成された本体部に駆動アクチュエータ、伝動部材、一対の回動翼片（いわゆるチューリップ）等が取り付けられている。そして、このような入賞装置の機能は、一対の回動翼片間に形成される入賞口に遊技球が入球したことに起因して、賞球払出が行われたり特別遊技（大当たり）を発生させるための抽選（乱数取得）が行われたりすることで定着化されている。また、前側装飾部（前飾り部）等を利用して普通図柄を表示したり抽選の保留数を表示したりする技術も開示されているが（特許文献１、２参照）、遊技状態を補助的に表示するに過ぎないため、総じて電動チューリップ等の入賞装置が遊技者の関心を集め注目を浴びることはほとんどなかった。
【先行技術文献】
【特許文献】
【０００３】
【特許文献１】特開２００３−１５４１０４号公報
【特許文献２】特開平６−１２１８７０号公報
【発明の概要】
【発明が解決しようとする課題】
【０００４】
本発明の課題は、可動体の動きに基づく形態上の変化に加えて可動体の動きに伴う発光態様の変化により、遊技者の興味をさらに高めることのできる電動チューリップ等の遊技機用入賞装置とそれを用いた遊技機を提供することにある。
【課題を解決するための手段及び発明の効果】
【０００５】
上記の課題を解決するために前提となる遊技機用入賞装置は、
遊技盤と交差する一対の平行な回動軸線周りに回動可能に取り付けられ、遊技球の入賞が相対的に困難な第一開口位置と入賞が相対的に容易な第二開口位置との間で回動することによって入賞口の開口態様を変更する一対の回動翼片と、
直線的に変位する駆動部を有する駆動アクチュエータと、
前記駆動部の直線的な移動を前記回動翼片の回転移動に変換する伝動アームを有し、前記駆動アクチュエータの駆動力を前記回動翼片に伝達する伝動部材と、
前記遊技盤上で前記回動翼片の近傍に配置され、前記伝動部材の作動に基づいて前記回動翼片の第一及び第二開口位置に対応付けられた第一及び第二停止位置の間で移動する可動体と、
を備える場合がある。
【０００６】
このような遊技機用入賞装置によれば、回動翼片を回転移動させるための伝動部材（伝動アーム）をそのまま利用して可動体を移動・停止させることができるので、エネルギーロスを抑えつつ可動体をコンパクトに組み込むことができる。その結果、回動翼片の動きと連動して動く新たな可動体の出現により、遊技者にとってこれまで注目度の低かった入賞装置に新たな興趣を喚起して関心を集めることができる。よって、小型化を図ること（コスト抑制）とダイナミックな動きを付与すること（付加価値）を同時に満たす入賞装置の実現が可能となる。
【０００７】
なお、本発明の駆動アクチュエータとして、ソレノイド、リニアステッピングモータ等を用いることができる。また、本発明の可動体は、アーム軸線の周りに回動可能な回動アームとして構成したり、一対の回動翼片と同様の回動翼片として構成したり、回転体として構成したりすることができる。そして、このような可動体は、例えば次のような移動態様をとることができる。
（１）第一停止位置と第二停止位置との間の往復軌道や、第一停止位置と第二停止位置とを含むループ状軌道を移動する態様；
（２）回転軸の周りに第一停止位置と第二停止位置とを含んで回転移動する態様。
【０００８】
このような入賞装置において、遊技盤上に配置され回動翼片を保持する前側装飾部の一部で可動体を構成し、伝動アームが、可動体と回動翼片とに直接接触してそれらを同時に移動させるように構成することが望ましい。遊技者にとって最も視線に近い位置にある前側装飾部（前飾り部）を部分的に用いて可動体を構成することにより、遊技者の注意を惹きやすくなる。また、可動体と回動翼片とは伝動アームに直接接触して同時に駆動されるので、エネルギーロスをほとんどなくすことができ、両者の移動タイミングも取りやすくなる。
【０００９】
さらに、伝動アームは一対の回動翼片を第一開口位置と第二開口位置との間でそれぞれ回動させるために一対設けられ、可動体は入賞口を囲む形状（例えばＵ字形状）に形成され、その両側の先端部が入賞口を挟む両側で一対の伝動アームとそれぞれ係合していることが望ましい。このように、可動体と一対の回動翼片とが入賞口を挟む両側で一対の伝動アームによって駆動される場合には、可動体や回動翼片にこじれやモーメントが発生しにくくなり、より精密な移動操作ができ、長寿命化を図ることもできる。
【００１０】
その際に、可動体の両側先端部の離間距離を、一対の伝動アームの離間距離にほぼ等しく設定し、かつ、一対の回動翼片の回動軸線間距離よりも小に設定すれば、回動翼片の作動を妨げることなく可動体の安定した移動が継続的に可能となる。なお、可動体の離間距離及び伝動アームの離間距離は、測定方向の厚み等の中心位置を基準に設定する。
【００１１】
また、上記の課題を解決するために本発明の遊技機用入賞装置は、
遊技盤と交差する一対の平行な回動軸線周りに回動可能に取り付けられ、遊技球の入賞が相対的に困難な第一開口位置と入賞が相対的に容易な第二開口位置との間で回動することによって入賞口の開口態様を変更する一対の回動翼片と、
直線的に変位する駆動部を有する駆動アクチュエータと、
前記駆動部の直線的な移動を前記回動翼片の回転移動に変換する伝動アームを有し、前記駆動アクチュエータの駆動力を前記回動翼片に伝達する伝動部材と、
前記回動翼片の下方に配置され、前記伝動アームの作動に基づいて前記回動翼片が前記第一開口位置にあるときその回動翼片に相対的に接近して停止する第一停止位置と、前記第二開口位置にあるとき相対的に離間して停止する第二停止位置との間で移動する可動体と、
前記遊技盤の盤面よりも後方側に設けられた発光部と、を備え、
前記可動体は、平面視で、前記伝動アームの軸線と平行で前記回動翼片の回動軸線と交差するアーム軸線の周りに回動可能であり、かつ前記アーム軸線に対し遊技者側とは反対側となる後方側の端部が前記伝動アームと接触する可動アームとして構成され、前記アーム軸線周りでの回動動作に基づく前方側の昇降作動が、前記回動翼片の回動軸線周りでの開口態様変更動作と連動し、
前記伝動アームの作動に基づいて前記回動翼片が前記第一開口位置にあり、かつ前記可動アームが前記第一停止位置にある第一状態のとき、その可動アームは前方側が上昇し、遊技者に対して前記発光部を遮蔽する状態となる一方、
前記回動翼片が前記第二開口位置にあり、かつ前記可動アームが前記第二停止位置にある第二状態のとき、その可動アームは前方側が下降し、遊技者に対して前記発光部を露出させる状態となることを特徴とする。
【００１２】
このような遊技機用入賞装置によれば、回動翼片が第一開口位置（難入賞位置）にあるときに可動体は第一停止位置（例えば回動翼片への接近位置）となり、回動翼片が第二開口位置（易入賞位置）にあるときに可動体は第二停止位置（例えば回動翼片下方の退避位置）となるように連動して作動する。したがって、例えば、可動体が第二停止位置に移動したときに、あたかも悪魔又は髑髏が口を開いたような形相を具現化することもでき、注目を一層集めやすくなる。しかも、可動体は回動翼片の下方において隣接して配置できるため、遊技盤上を落下する遊技球の流れを阻害せずに比較的狭いスペースに収めることができる。
【００１３】
その際に、遊技盤の盤面よりも後方側（遊技者から遠ざかる位置）に発光部を設け、伝動アームの作動に基づいて回動翼片が第一開口位置にあり、かつ可動アームが第一停止位置にある第一状態のとき、その可動アームは前方側が上昇し、遊技者に対して発光部を遮蔽する状態となる一方、回動翼片が第二開口位置にあり、かつ可動アームが第二停止位置にある第二状態のとき、その可動アームは前方側が下降し、遊技者に対して発光部を露出させる状態となるようにすれば、可動体の動きに基づく形態上の変化に加えて可動体の動きに伴う発光態様の変化により、遊技者の興味をさらに高めることができる。なお、発光部に設ける発光手段として、フルカラー仕様を始めとする各種のＬＥＤが近年では一般化している。そこで、ＬＥＤ（発光部）の遊技者側にレンズを配設する場合には、光の拡散効果によって、例えば回動翼片や前側装飾部（前飾り部）を部分的に照射することもできる。また、ＬＥＤ（発光部）の遊技者側にレンズを配設しない場合には、比較的強い光を集中的に遊技者側に照射することができる。
【００１４】
さらにこのような入賞装置において、可動体を、平面視で、遊技盤と平行で回動翼片の回動軸線と交差するアーム軸線の周りに回動可能な回動アームとして構成し、可動体のアーム軸線周りでの回動動作に基づく遊技者側端部の昇降作動を、回動翼片の回動軸線周りでの開口態様変更動作と連動させてもよい。この場合には、回動翼片は遊技盤と平行に開閉する動作態様をとるのに対して、可動体の遊技者側端部は昇降する動作態様をとるので、回動翼片と可動体とが異なる方向に動くことによってさらに興趣を高めた入賞装置を提供できる。
【００１５】
以上のようにして製造コストの増加が抑制され、小型化が図られた遊技機用入賞装置を遊技機に配置することにより、遊技機全体としての製造コストの抑制と小型化が達成できるとともに、興趣に富んだ盤面構成を実現することができるようになる。
【００１６】
なお、本発明において後方側（又は後面側）とは遊技盤の盤面と直交する方向（すなわち前後方向）において遊技者から遠ざかり遊技機内部に向かう側（すなわち、主制御基板等の種々の基板が設けられる内部機構側）、前方側（又は前面側）とはそれとは反対側の遊技者に対面する側を意味する。また、上方側とは鉛直上方側、下方側とは鉛直下方側を意味するものとする。
【図面の簡単な説明】
【００１７】
【図１】本発明の遊技機用入賞装置の一例を示す分解斜視図。
【図２】一部破断して示す第一状態の斜視図及びその側面断面図。
【図３】第一状態及び第二状態を示す正面図。
【図４】図２における第二状態を示す斜視図及びその側面断面図。
【図５】第一状態における主要部の斜視図、正面図及び平面図。
【図６】第二状態における主要部の斜視図、正面図及び平面図。
【図７】発光部の配置を例示する図３（ｂ）のＡ−Ａ断面図。
【図８】図７（ｂ）の分解斜視図。
【図９】遊技機用入賞装置を備えた遊技機の一例を示す正面図。
【発明を実施するための形態】
【００１８】
（実施例）
以下、本発明の実施の形態につき、図面に示す実施例を参照して説明する。図１は、本発明の遊技機用入賞装置としての電動チューリップ１の分解斜視図である。電動チューリップ１は、遊技機１００の遊技盤１０１の盤面１０１ａ（図９参照）において、中央の液晶表示部１０２の下方に位置するように配置され、一対の回動翼片１０，１０とソレノイド３０（駆動アクチュエータ）と伝動部材２１と可動アーム７１（可動体）とを有している。
【００１９】
一対の回動翼片１０，１０は、遊技盤１０１と交差する一対の平行な回動軸線Ｏ１，Ｏ１周りに回動可能に取り付けられ、遊技球の入賞が相対的に困難な第一開口位置（図３（ａ）及び図２参照；以下、閉鎖位置ともいう）と入賞が相対的に容易な第二開口位置（図３（ｂ）及び図４参照；以下、開放位置ともいう）との間で回動することによって入賞口７の開口態様を変更する。ソレノイド３０は、複数の直線変位位置（例えば後述する２位置）に変位可能なプランジャ３７（駆動部）を有している。伝動部材２１は、プランジャ３７の直線的な移動を回動翼片１０の回転移動に変換する伝動アーム２１ｄを有し、ソレノイド３０の駆動力を回動翼片１０に伝達している。
【００２０】
可動アーム７１は、回動翼片１０の下方に配置され、伝動部材２１の作動に基づいて回動翼片１０が閉鎖位置にあるときその回動翼片１０の下半部を覆う前側装飾部１１の本体部１１ａに相対的に接近して停止する第一停止位置（図３（ａ）及び図２参照；以下、上昇位置ともいう）と、開放位置にあるとき相対的に離間して停止する第二停止位置（図３（ｂ）及び図４参照；以下、下降位置ともいう）との間で移動する。なお、以下の記載において、回動翼片１０が閉鎖位置で可動アーム７１が上昇位置にあるときを第一状態、回動翼片１０が開放位置で可動アーム７１が下降位置にあるときを第二状態と呼ぶ場合がある。
【００２１】
これらの構造について、さらに具体的に説明する。図１、図２及び図４に示すように、通電によってソレノイド３０内部（具体的には、コイル部５３内部）にプランジャ３７が直線的に引き込まれるようになっている。そのプランジャ３７の盤面前後方向への直線変位を伝動部材２１の回転変位に変換し、その伝動部材２１の回転変位（ここでは盤面１０１ａ（図９参照）と平行な軸線Ｏ３回りの回動変位）をさらに回動翼片１０，１０の回動変位（ここでは盤面１０１ａと交差（例えば直交）する回動軸線Ｏ１回りの回動変位）に変換するように構成されている。なお、プランジャ３７は、コイルばね３９を貫通しつつソレノイド３０内部（コイル部５３内部）に引き込まれるようになっている。したがって、通電状態においては、コイルばね３９の付勢に反してコイル部５３内部に引き込まれ、通電解除状態においては、コイルばね３９による付勢により（具体的には、コイルばね３９がプランジャ３７に一体形成されたフランジ部３７ａ，３７ａを押し出すことにより）、前方側に押し出されるようになっている。
【００２２】
また、プランジャ３７のフランジ部３７ａ，３７ａの間において周方向に溝３７ｂが形成されており、その溝３７ｂ内に伝動部材２１に形成された一対の突起２１ｂ，２１ｂが嵌まるようになっている。伝動部材２１は、間隔部材２１ｃと、この間隔部材２１ｃの両端に配置された一対の伝動アーム２１ｄ，２１ｄとを有している。伝動アーム２１ｄ，２１ｄの両外側に突出して、盤面１０１ａと平行な軸線Ｏ３，Ｏ３を有する一対の伝動部材回動軸２１ｅ，２１ｅを設けている。伝動部材２１を収納するハウジング４３に形成された伝動部材回動軸挿入孔４３ａ，４３ａに伝動部材回動軸２１ｅ，２１ｅが挿入される。伝動部材２１は、伝動部材回動軸２１ｅ，２１ｅの軸線Ｏ３，Ｏ３周りに回動可能に支持されている。そして、伝動アーム２１ｄが回動することにより先端二股状の作用部２１ａが変位（ほぼ上下方向に変位）して回動翼片１０の突出部１０ａを移動させ、回動翼片１０が回動することとなる。
【００２３】
具体的には、図１に示すように、回動翼片１０に形成された支持軸挿入穴１０ｂに挿入された回動翼片支持軸１０ｃは、その前端側を前側装飾部１１に形成された支持軸挿入穴１１ｉに、その後端側を台板１２に形成された支持軸挿入穴１２ｇに、それぞれ挿入・支持されている。これにより、回動翼片１０，１０は、回動翼片支持軸１０ｃ，１０ｃの回動軸線Ｏ１，Ｏ１周りに回動可能に支持されている。そして、２つの回動翼片１０，１０の回動軸線Ｏ１，Ｏ１は平行関係にある。また、回動翼片支持軸１０ｃ，１０ｃにより回動翼片１０，１０が支持された状態にて前側装飾部１１と台板１２が固定される。
【００２４】
回動翼片１０に形成される被作用部は、その回動翼片１０において台板１２の被作用部導入口１２ｃから後方側に突出するように形成される突出部１０ａ，１０ａを有している。そして、伝動アーム２１ｄの作用部２１ａは、突出部１０ａに対応する位置に設けられ、ソレノイド３０のプランジャ３７と連動して被作用部（突出部１０ａ）に作用するように構成されている。
【００２５】
図２（ａ）において、伝動部材２１の作動に連動する可動アーム７１は、後方側（伝動アーム２１ｄとの衝合側）を一方の先端部７１ｂとして前方側（遊技者側）に延び方向変換部７１ａを経て他方の先端部７１ｂに至り、全体としてＵ字状に形成されている。可動アーム７１は、前側装飾部１１の一部を構成している。前側装飾部１１の楕円状の本体部１１ａと、本体部１１ａの両端から下方に突出する壁部１１ｂ，１１ｂとで形成された空間に可動アーム７１の方向変換部７１ａ（特に遊技者側端部７１ｄ）が位置する。可動アーム７１の両外側に突出して遊技盤１０１と平行な一対の可動アーム支持軸７１ｃ，７１ｃを設けている。可動アーム支持軸７１ｃ，７１ｃが前側装飾部１１に形成された可動アーム支持軸挿入穴１１ｃ，１１ｃ（図１参照）に挿入されている。可動アーム７１は、可動アーム支持軸７１ｃ，７１ｃのアーム軸線Ｏ２周りに回動可能に支持されている。可動アーム７１の後方側の両側先端部７１ｂ，７１ｂは、入賞口７を挟む両側で伝動アーム２１ｄ，２１ｄの作用部２１ａ，２１ａの下顎下面とそれぞれ直接接する形で係合している。なお、可動アーム７１について、アーム軸線Ｏ２より前方側（方向変換部７１ａ側）の重量が、それより後方側（両側先端部７１ｂ，７１ｂ側）の重量よりも大としてある。
【００２６】
そして、図５（ｃ）に示すように、可動アーム７１の２つのアーム軸線Ｏ２，Ｏ２は一直線上にあり、かつ前述の回動翼片１０，１０の回動軸線Ｏ１，Ｏ１と交差（例えば直交）し、伝動アーム２１ｄ，２１ｄの軸線Ｏ３，Ｏ３と平行の関係にある。可動アーム７１の両側先端部７１ｂ，７１ｂの離間距離Ｗは、閉鎖位置における入賞口７の幅すなわち玉１個の直径Ｄよりも大きく、かつ伝動アーム２１ｄ，２１ｄの離間距離Ｌ１と等しいかほぼ等しくしている。そして、可動アーム７１の両側先端部７１ｂ，７１ｂの離間距離Ｗは、回動翼片１０，１０の回動軸線間距離Ｌ２よりも小さい関係にある。すなわち、上記三者の相互関係は、「Ｌ１≒Ｗ＜Ｌ２」と表わすことができる。
【００２７】
なお、可動アーム７１の両側先端部７１ｂ，７１ｂの離間距離Ｗは測定方向の先端部７１ｂ，７１ｂの厚みの中心位置を基準に設定する。つまり、先端部７１ｂ，７１ｂの最大距離をＷｍａｘとし、先端部７１ｂ，７１ｂの厚みをｔとしたとき、Ｗ＝Ｗｍａｘ―ｔで表わされる。また、伝動アーム２１ｄ，２１ｄの離間距離Ｌ１は測定方向の伝動アーム２１ｄ，２１ｄの厚みの中心位置を基準に設定する。つまり、伝動アーム２１ｄ，２１ｄの最大距離をＬ１ｍａｘとし、伝動アーム２１ｄ，２１ｄの厚みをｔ１としたとき、Ｌ１＝Ｌ１ｍａｘ―ｔ１で表わされる。
【００２８】
図２（ｂ）に示すように、遊技盤１０１の盤面１０１ａの後方には、可動アーム７１の遊技者側端部７１ｄの位置に相対してＬＥＤ素子からなる発光部材７２（発光部）を配置している。台板１２には、光通過用の開口１２ｅが形成されている。したがって、可動アーム７１が上昇位置にあるときに、遊技者側端部７１ｄで発光部材７２は遮蔽された状態（光が遊技者に到達しない状態）、下降位置にあるときに、発光部材７２が露出された状態（光が遊技者に到達する状態）を呈する。
【００２９】
前側装飾部１１の後面には後方ほど低くなる三角形状のガイド部１１ｅが設けられ、ガイド部１１ｅの下縁からアーチ状の屋根部１１ｆが後方に延設されている。入賞口７に入った玉はガイド部１１ｅにより後方に誘導され、屋根部１１ｆの上部を通過して後方に導かれる。屋根部１１ｆは、発光部材７２の光が上方に漏れることを防ぐ役目もあわせもっている。
【００３０】
台板１２には入賞口７に入賞しガイド部１１ｅ、屋根部１１ｆを経た玉の通路となる流通路１２ｆが後方ほど低くなるように形成されている。流通路１２ｆの後端部下方には、入賞検知手段として近接スイッチ２５が設けられている。ハウジング４３の下方に近接スイッチ２５と嵌合するスイッチ配置孔４３ｅが形成されている。近接スイッチ２５には入賞口７に入賞した玉が通過する通過孔２５ａが形成されている。通過孔２５ａを玉が通過したときに近接スイッチ２５は検出信号を出力する。
【００３１】
図１に戻り、発光部材７２を搭載した基板７３には挿通孔７３ａ，７３ａが形成されている。締結部材７４，７４が、基板７３の挿通孔７３ａ，７３ａと、台板１２に形成された挿通孔１２ｄ，１２ｄとを貫通し、前側装飾部１１に形成された挿入部１１ｄ，１１ｄに挿入固定される。これによって、基板７３、台板１２及び前側装飾部１１が一体に固定される。
【００３２】
一方、ハウジング４３にはソレノイド３０を固定して支持するための締結部材挿通孔４３ｂ，４３ｂが形成されている。ソレノイド３０のコイル部５３を囲む金属材質からなる側方板５１，５１には締結部材挿入部５１ａ，５１ａが形成されている。締結部材３５，３５（例えばねじ、ビス、ボルト等）がハウジング４３の締結部材挿通孔４３ｂ，４３ｂを貫通しつつソレノイド３０の締結部材挿入部５１ａ，５１ａに挿入固定されて、ソレノイド３０とハウジング４３とが固定されることとなる。
【００３３】
ハウジング４３には外側に突出して一対の取付け部４３ｃ，４３ｃが設けられ、その取付け部４３ｃ，４３ｃには取付け孔４３ｄ，４３ｄが形成されている。回動翼片１０，１０を変位可能に支持する樹脂部材からなる台板１２には、後方に突出した取付け部１２ａ，１２ａに取付け穴１２ｂ，１２ｂが形成されている。締結部材４7，４７が取付け孔４３ｄ，４３ｄを貫通して取付け穴１２ｂ，１２ｂに挿入固定されてハウジング４３と台板１２とが固定される。
【００３４】
次に、このような構成を有する電動チューリップ１の作動について説明する。図３（ａ）又は図５に示すように、ソレノイド３０が非通電状態のとき、コイルばね３９の付勢により回動翼片１０，１０と可動アーム７１は第一状態、すなわち回動翼片１０，１０が閉鎖位置、可動アーム７１が上昇位置にある。このため、図２（ｂ）に示すように、遊技者側端部７１ｄで発光部材７２は遮蔽された状態となり光が遊技者に到達しない。このような状態で、入賞口７に玉の入賞があったとき（近接スイッチ２５による検知）若しくは他の特定入賞口に入賞があったときにソレノイド３０が通電状態となる。ソレノイド３０が通電状態になると、コイルばね３９の付勢に反してプランジャ３７がソレノイド３０内部に引き込まれ、つれて伝動部材２１（伝動アーム２１ｄ）が軸線Ｏ３（伝動部材回動軸２１ｅ）に対して時計回りに回動する。
【００３５】
図３（ｂ）又は図６に示すように、伝動部材２１の回動により作用部２１ａが回動翼片１０の突出部１０ａを押し上げ、回動翼片１０が開放位置に移動する。このとき、図４に示すように、伝動部材２１の作用部２１ａが上方移動するにつれて、可動アーム７１は、アーム軸線Ｏ２を中心とする前後の重量差により、先端部７１ｂ側が作用部２１ａの下顎下面と接しながら上昇する方向に回動し、遊技者側端部７１ｄ側は下降位置に移動する。これによって、回動翼片１０，１０と可動アーム７１は第二状態、すなわち回動翼片１０，１０が開放位置、可動アーム７１が下降位置となる。このため、図３（ｂ）に示すように、発光部材７２が露出された状態となり光が遊技者に到達する。このようにして、可動アーム７１が下降位置に移動したときには、前側装飾部１１の形状・模様と相俟って、あたかも悪魔又は髑髏が口を開いた形相を表現できる。
【００３６】
この状態で、さらに入賞口７に玉の入賞があったとき等には、ソレノイド３０が再び非通電状態となる。これによって、コイルばね３９の付勢により伝動部材２１（伝動アーム２１ｄ）が反時計回りに回動し（図４（ｂ）→図２（ｂ））、回動翼片１０，１０と可動アーム７１は第一状態、すなわち回動翼片１０，１０が閉鎖位置、可動アーム７１が上昇位置に復帰する。このため、遊技者側端部７１ｄで発光部材７２は再び遮蔽された状態となり光が遊技者に到達しなくなる。
【００３７】
このように、回動翼片１０，１０を回転移動させるための伝動部材２１（具体的には伝動アーム２１ｄ，２１ｄ）に直接接して可動アーム７１を同時に移動・停止させることができるので、小型化が図れ、エネルギーロスをほとんどなくすことができ、伝動部材２１と可動アーム７１との移動タイミングも取りやすくなる。その結果、回動翼片１０，１０の動きと連動して動く新たな可動アーム７１が付加されることにより、電動チューリップ１に新たな興趣を喚起して遊技者の関心を集めることができる。その際、回動翼片１０，１０が遊技盤１０１と平行に開閉する動作態様をとるのに対して、可動アーム７１の遊技者側端部７１ｄが昇降する動作態様をとるので、回動翼片１０，１０と可動アーム７１とが異なる方向に動くことによって興趣を高められる。そして、遊技者にとって最も視線に近い位置にある前側装飾板１１の一部を可動アーム７１に構成しており、遊技者の注意を惹きやすくなる。
【００３８】
さらに、可動アーム７１は回動翼片１０，１０の下半部を覆う前側装飾板１１の下方に隣接して配置できるため、遊技盤１０１上を落下する玉の流れを阻害せずに比較的狭いスペースに収めることができる。具体的には、前側装飾板１１の本体部１１ａと壁部１１ｂ，１１ｂとで形成された空間に可動アーム７１の遊技者側端部７１ｄが位置し、壁部１１ｂ，１１ｂにより可動アーム７１に玉が当たることもなく、玉詰まりや玉噛みを防止できる。
【００３９】
また、可動アーム７１（具体的には両側先端部７１ｂ，７１ｂ）と一対の回動翼片１０，１０とが入賞口７を挟む両側で一対の伝動アーム２１ｄ，２１ｄによって駆動されるため、可動アーム７１や回動翼片１０，１０にねじれやモーメントが発生しにくく、より精密な移動操作ができ、長寿命となる。
【００４０】
また、可動アーム７１の両側先端部７１ｂ，７１ｂの離間距離（Ｗ）、伝動部材２１の一対の伝動アーム２１ｄ，２１ｄの離間距離（Ｌ１）及び回動翼片１０，１０の回動軸間距離（Ｌ２）について、Ｌ１≒Ｗ＜Ｌ２の関係に設定したので、回動翼片１０，１０の作動を妨げることなく可動アーム７１の安定した移動が継続的に可能となる。
【００４１】
次に、図７は、発光部材７２の配置例の詳細を第二状態（発光部材７２の光が遊技者に到達する状態）において表わしている。図７（ａ）において、前側装飾部１１の本体部１１ａの中央部に左右対称に光導出孔１１ｇ，１１ｇが配置されている（図３参照）。光導出孔１１ｇ，１１ｇの位置は、屋根部１１ｆの下側部分に設定される。発光部材７２の光が光導出孔１１ｇ，１１ｇから漏れ、常時光って見える状態を呈する。図３（ｂ）に示すように、本体部１１ａの前方側表面には、光導出孔１１ｇ，１１ｇと連続する形で逆八の字状に凹部１１ｈ，１１ｈが形成されている。従って、光導出孔１１ｇ，１１ｇは、前側装飾部１１の形状・模様と相俟って、あたかも悪魔又は髑髏の目が光っている状態を表現できる。なお、凹部１１ｈ，１１ｈには、例えばアクリル材の拡散板を貼り付けることにより、光導出孔１１ｇ，１１ｇからの光を拡散してボンヤリと光らせることができる。
【００４２】
図７（ｂ）及びその分解斜視図である図８は発光部材７２の前方側にレンズ７５を装着した例を示している。図８に示すように、レンズ７５が固定されたレンズ取付け板７６に締結部材用挿通孔７６ａ，７６ａを形成している。そして、レンズ取付け板７６を基板７３と台板１２との間に挟み締結部材７４，７４で前側装飾部１１の挿入部１１ｄ，１１ｄに挿入固定している。これにより、レンズ７５が光通過口１２ｅに嵌めこまれた状態に固定される。図７（ｂ）のようにレンズ７５を配設する場合には、光の拡散効果によって回動翼片１０，１０や前側装飾部１１を部分的に照射することができる。他方、図７（ａ）のようにレンズ７５を配設しない場合には、比較的強い光を遊技者側に照射することができる。
【００４３】
なお、本実施例では、駆動アクチュエータとしてソレノイド３０を用いているが、その他リニアステッピングモータ等が採用できる。
【符号の説明】
【００４４】
１      電動チューリップ（遊技機用入賞装置）
７      入賞口
１０    回動翼片
１１    前側装飾部
１２    台板
２１    伝動部材
２１ｄ  伝動アーム
３０    ソレノイド（駆動アクチュエータ）
３７    プランジャ（駆動部）
７１    可動アーム（可動体）
７２    発光部材（発光部）
１００  遊技機
【図１】
2010075725.tif 000003
【図２】
2010075725.tif 000004
【図３】
2010075725.tif 000005
【図４】
2010075725.tif 000006
【図５】
2010075725.tif 000007
【図６】
2010075725.tif 000008
【図７】
2010075725.tif 000009
【図８】
2010075725.tif 000010
【図９】
2010075725.tif 000011